(57)【特許請求の範囲】
【請求項１】
器具本体と；
取付面が切り起こし形成された反射板取付部に取り付けることで器具本体に取り付けられる反射板と；
少なくとも反射板の反射板取付部近傍に接触され、断熱性、振動吸収性および弾性のうちの少なくとも１つの特性を有する異音抑制部材と；
を具備していることを特徴とする照明器具。
【請求項２】
器具本体と；
取付面が切り起こし形成された反射板取付部に取り付けることで器具本体に配設される反射板と；
反射板を反射板取付部に取り付ける取付ねじと；
取付ねじによって反射板を反射板取付部に取り付ける部分で少なくとも反射板に接触され、断熱性、振動吸収性および弾性のうちの少なくとも１つの特性を有する異音抑制部材と；
を具備していることを特徴とする照明器具。
【請求項３】
異音抑制部材は、反射板取付部と反射板との間に配置されている
ことを特徴とする請求項１または２記載の照明器具。
【請求項４】
異音抑制部材は、反射板と取付ねじとの間に配置されている
ことを特徴とする請求項１または２記載の照明器具。
【請求項５】
反射板と取付ねじとの間に配置される異音抑制部材は、ワッシャである
ことを特徴とする請求項４記載の照明器具。
【発明の詳細な説明】
【０００１】
【発明の属する技術分野】
本発明は、ランプに対向される反射板を取付ねじで器具本体に取り付ける照明器具に関する。
【０００２】
【従来の技術】
従来、照明器具は、ランプソケットや点灯装置などが配設される器具本体、およびこの器具本体に取り付けられる反射板を備え、ランプを反射板に対向して器具本体のランプソケットに装着している。器具本体および反射板は金属材料で形成され、器具本体に設けられる反射板取付部に反射板が接触する状態で、反射板側から反射板取付部に螺合される取付ねじにより反射板を器具本体に締め付けて取り付けている。
【０００３】
【発明が解決しようとする課題】
このような照明器具では、ランプが消灯されていて照明器具が常温にある状態でランプを点灯した場合、そのランプの点灯後の約１５分程度の間に、ランプの発熱によって照明器具の各部材の温度が急激な温度上昇をきたす。また、ランプが点灯されていて照明器具が温度上昇した状態でランプを消灯した場合にも、各部材からの放熱によって各部材の温度が急激な温度低下をきたす。
【０００４】
反射板は、ランプに対向して、ランプからの発熱の影響を受けやすいので、ランプ点滅状態切換時の急激な温度変化によって歪みが発生しやすく、この歪みに起因して、きしんだ異音が発生する問題がある。特に、直管形蛍光ランプを使用する照明器具では、反射板がランプ長手方向に長く、平面を多用しているため、歪みが大きく、異音も発生しやすい傾向がある。
【０００５】
本発明は、このような点に鑑みなされたもので、ランプ点滅状態切換時の温度変化による異音の発生を抑制できる照明器具を提供することを目的とする。
【０００６】
【課題を解決するための手段】
請求項１記載の照明器具は、器具本体と；取付面が切り起こし形成された反射板取付部に取り付けることで器具本体に取り付けられる反射板と；少なくとも反射板の反射板取付部近傍に接触され、断熱性、振動吸収性および弾性のうちの少なくとも１つの特性を有する異音抑制部材と；を具備しているものである。
【０００７】
そして、断熱性、振動吸収性および弾性のうちの少なくとも１つの特性を有する異音抑制部材を、少なくとも反射板に接触させることにより、異音の発生を抑制する特性を特定し、ランプ点滅状態切換時の温度変化による異音の発生を抑制する。異音抑制部材が断熱性を有する場合には、反射板などの急激な温度変化を抑制し、異音の発生を抑制する。異音抑制部材が振動吸収性を有する場合には、異音発生時の反射板などの振動を吸収し、異音の発生を抑制する。異音抑制部材が弾性を有する場合には、反射板などの変位を許容し、異音の発生を抑制する。
【０００８】
請求項２記載の照明器具は、器具本体と；取付面が切り起こし形成された反射板取付部に取り付けることで器具本体に配設される反射板と；反射板を反射板取付部に取り付ける取付ねじと；取付ねじによって反射板を反射板取付部に取り付ける部分で少なくとも反射板に接触され、断熱性、振動吸収性および弾性のうちの少なくとも１つの特性を有する異音抑制部材と；を具備しているものである。
【０００９】
そして、断熱性、振動吸収性および弾性のうちの少なくとも１つの特性を有する異音抑制部材を、取付ねじによって反射板を反射板取付部に取り付ける部分で少なくとも反射板に接触させることにより、異音の発生を抑制する特性を特定するとともに、ランプ点滅状態切換時の温度変化による異音の発生箇所を特定し、異音の発生を抑制する。異音抑制部材が断熱性を有する場合には、反射板などの急激な温度変化を抑制し、異音の発生を抑制する。異音抑制部材が振動吸収性を有する場合には、異音発生時の反射板などの振動を吸収し、異音の発生を抑制する。異音抑制部材が弾性を有する場合には、反射板などの変位を許容し、異音の発生を抑制する。
【００１０】
請求項３記載の照明器具は、請求項１または２記載の照明器具において、異音抑制部材は、反射板取付部と反射板との間に配置されているものである。
【００１１】
そして、異音抑制部材を反射板取付部と反射板との間に配置したので、反射板取付部と反射板との間からの異音の発生を抑制できる。
【００１２】
請求項４記載の照明器具は、請求項１または２記載の照明器具において、異音抑制部材は、反射板と取付ねじとの間に配置されているものである。
【００１３】
そして、反射板と取付ねじとの間からの異音の発生を抑制できる。
【００１４】
請求項５記載の照明器具は、請求項４記載の照明器具において、反射板と取付ねじとの間に配置される異音抑制部材は、ワッシャであるものである。
【００１５】
そして、反射板と取付ねじとの間に配置される異音抑制部材はワッシャであり、取付ねじにワッシャを係合させるだけで、異音の発生を容易に抑制できる。
【００１６】
【発明の実施の形態】
以下、本発明の一実施の形態を図面を参照して説明する。
【００１７】
図１ないし図３に一実施の形態を示し、図１は照明器具の一部の分解状態の斜視図、図２は照明器具の断面図、図３は照明器具の斜視図である。
【００１８】
図３に示すように、照明器具は、天井面などに埋め込み設置される埋込形照明器具で、かつランプとして２本の直管形蛍光ランプＬを使用する２灯タイプであり、直管形蛍光ランプＬの長手方向に対応して長尺に形成されている。そして、照明器具は、器具本体11、この器具本体11の両端に配設されるランプソケット12、器具本体11に配設される図示しない点灯装置、および器具本体11に取り付けられる反射板13などを有している。
【００１９】
器具本体11は、材質が金属で、天板部16、両側の側板部17および両端の端板部18を有する箱形に形成され、下面には照射開口19が形成されるとともに、周縁には天井面などに接合される断面略Ｌ字形の縁部20が形成されている。
【００２０】
図１および図２に示すように、器具本体11内の両端には、器具本体11が備えるランプソケット台21が取り付けられている。両側の側板部17の両端に上下方向に間隔をあけて複数の保持部22が切り起こし形成され、これら上下の保持部22間にランプソケット台21の両側が差し込み係合されて取り付けられている。
【００２１】
ランプソケット台21は、基部23を有し、この基部23の両側に上下の保持部22間に差し込み係合されて取り付けられる略コ字形の係合部24が形成されている。基部23には、２本の各直管形蛍光ランプＬの位置に対応する両側に、ランプソケット12が取り付けられるランプソケット取付部25が形成されているとともに、これら各ランプソケット取付部25の器具中央側に反射板13を取り付ける反射板取付部26が形成されている。
【００２２】
反射板取付部26は、基部23から切り起こし形成され、反射板13が接合して取り付けられる取付面27が形成されているとともに、この取付面27の中央に取付孔28が形成されている。
【００２３】
また、反射板13は、材質が金属で、器具本体11の照射開口19に略平行に対向される反射面部31、およびこの反射面部31の両側から斜め下方に向けて折曲された両側の反射面部32を有し、両側の反射面部32の先端に器具本体11の両側の側板部17の内側に係合される係合片33が折曲形成されている。
【００２４】
反射板13の両端には、各ランプソケット12が挿通される切欠部34が形成されているとともに、各反射板取付部26の取付孔28の位置に対応して挿通孔35が形成されている。
【００２５】
反射板13を器具本体11側に取り付けるのに取付ねじ36が用いられ、この取付ねじ36は、周囲にねじ山が形成されたねじ軸37、および合成樹脂でモールドされた頭部38を有する化粧ねじにて構成されている。
【００２６】
また、器具本体11側の反射板取付部26には、ランプ点滅状態切換時の温度変化による異音の発生を抑制するための異音抑制部材41が配設されている。この異音抑制部材41は、断熱性、振動吸収性および弾性のうちの少なくとも１つの特性を有するもので、例えば、ウレタンやシリコンなど材質によってシート状に形成されたシート体42で、このシート体42の一面には例えば粘着財が塗布されていて反射板取付部26の取付面27を覆うようにして貼着される。シート体42の中央には取付孔28の位置に対応して孔部43が形成されている。
【００２７】
そして、器具本体11に反射板13を取り付ける際には、反射板13を器具本体11の照射開口19を通じて器具本体11の内側に挿入し、反射板13を器具本体11側の反射板取付部26つまり異音抑制部材41のシート体42に押し当てながら、取付ねじ36を反射板13の挿通孔35および異音抑制部材41のシート体42の孔部43を通じて反射板取付部26の取付孔28に螺合し、反射板13を反射板取付部26に対して締付固定する。反射板13の取付状態では、反射板取付部26と反射板13との間に異音抑制部材41のシート体42が介在される。
【００２８】
ところで、直管形蛍光ランプＬが消灯されていて照明器具が常温にある状態で直管形蛍光ランプＬを点灯した場合、その直管形蛍光ランプＬの点灯後の約１５分程度の間に、直管形蛍光ランプＬの発熱によって照明器具の各部材の温度が急激な温度上昇をきたす。また、直管形蛍光ランプＬが点灯されていて照明器具が温度上昇した状態で直管形蛍光ランプＬを消灯した場合にも、各部材からの放熱によって各部材の温度が急激な温度低下をきたす。反射板13は、直管形蛍光ランプＬに対向して、直管形蛍光ランプＬからの発熱の影響を受けやすいので、ランプ点滅状態切換時の急激な温度変化によって歪みが発生し、この歪みに起因して、きしんだ異音が発生するおそれがある。異音抑制部材41のシート体42がない状態で、異音の発生箇所を特定する実験をしたところ、取付ねじ36によって反射板13を器具本体11側の反射板取付部26に取り付ける部分からの異音の発生が多いことが確認された。
【００２９】
ランプ点滅状態切換時の温度変化による異音の発生箇所を特定して、異音抑制部材41のシート体42を反射板取付部26と反射板13との間に介在させることにより、異音抑制部材41のシート体42の作用で異音の発生を抑制できる。
【００３０】
すなわち、異音抑制部材41が断熱性を有するシート体42の場合には、反射板13の急激な温度変化を抑制し、異音の発生を抑制できる。
【００３１】
また、異音抑制部材41が振動吸収性を有するシート体42の場合には、異音発生時の反射板13の振動を吸収し、異音の発生を抑制できる。
【００３２】
また、異音抑制部材41が弾性を有するシート体42の場合には、器具本体11側の反射板取付部26に対して、反射板13の膨張または収縮による変位を許容し、異音の発生を抑制できる。
【００３３】
そして、異音抑制部材41が、断熱性、振動吸収性および弾性の特性を複合的に有することで、これらの相乗効果によって異音の発生をより抑制できる。
【００３４】
さらに、異音抑制部材41のシート体42を器具本体11側の反射板取付部26と反射板13との間に配置することにより、器具本体11と反射板13との間からの異音の発生を抑制できる。
【００３５】
また、図４に示すように、異音抑制部材41を反射板13と取付ねじ36との間に、ワッシャ46として配置してもよく、この場合、取付ねじ36のねじ軸37にワッシャ46の孔47を係合させるだけで、反射板13と取付ねじ36との間からの異音を含めて、異音の発生を容易に抑制できる。
【００３６】
また、異音抑制部材41のシート体42とワッシャ46との両方を併用してもよく、異音の発生をより抑制できる。さらに、取付ねじ36によって反射板13を器具本体11側の反射板取付部26に取り付ける部分の近傍に、別の異音抑制部材41を反射板13に接触させて配置するなど、反射板13に対して複数の箇所に接触する状態で複数の異音抑制部材41を配置することで、異音の発生をより抑制できる。
【００３７】
なお、異音抑制部材41は、取付ねじ36によって反射板13を器具本体11側の反射板取付部26に取り付ける部分に限らず、その部分の近傍に配置した場合でも、異音の発生を抑制できる。
【００３８】
なお、照明器具は、１灯形の照明器具や、３灯形以上の照明器具にも適用できるとともに、直管形蛍光ランプＬ以外の環状蛍光ランプなどの他のランプを使用する照明器具にも適用できる。
【００３９】
【発明の効果】
請求項１記載の照明器具によれば、断熱性、振動吸収性および弾性のうちの少なくとも１つの特性を有する異音抑制部材を、少なくとも反射板に接触させたので、異音の発生を抑制する特性を特定し、ランプ点滅状態切換時の温度変化による異音の発生を抑制できる。
【００４０】
請求項２記載の照明器具によれば、断熱性、振動吸収性および弾性のうちの少なくとも１つの特性を有する異音抑制部材を、取付ねじによって反射板を反射板取付部に取り付ける部分で少なくとも反射板に接触させたので、異音の発生を抑制する特性を特定するとともに、ランプ点滅状態切換時の温度変化による異音の発生箇所を特定し、異音の発生を抑制できる。
【００４１】
請求項３記載の照明器具によれば、請求項１または２記載の照明器具の効果に加えて、異音抑制部材を反射板取付部と反射板との間に配置したので、反射板取付部と反射板との間からの異音の発生を抑制できる。
【００４２】
請求項４記載の照明器具によれば、請求項１または２記載の照明器具の効果に加えて、異音抑制部材を反射板と取付ねじとの間に配置したので、反射板と取付ねじとの間からの異音の発生を抑制できる。
【００４３】
請求項５記載の照明器具によれば、請求項４記載の照明器具の効果に加えて、反射板と取付ねじとの間に配置される異音抑制部材はワッシャであり、取付ねじにワッシャを係合させるだけで、異音の発生を容易に抑制できる。
【図面の簡単な説明】
【図１】  本発明の一実施の形態を示す照明器具の一部の分解状態の斜視図である。
【図２】  同上照明器具の断面図である。
【図３】  同上照明器具の斜視図である。
【図４】  本発明の他の実施の形態を示す照明器具の一部の分解状態の斜視図である。
【符号の説明】
11    器具本体
13    反射板
26 反射板取付部
27 取付面
36    取付ねじ
41    異音抑制部材
46    ワッシャ
【図１】
0004392544.tif 000002
【図２】
0004392544.tif 000003
【図３】
0004392544.tif 000004
【図４】
0004392544.tif 000005